(57)【要約】【課題】扉の開閉による空調エネルギーロスがより抑制できるようにする。【解決手段】判断部１０３は、測定された部屋内の環境の測定値が、記憶部１０２に設定されている制御目標値となっていることにより、部屋に設けられている扉１０４の開錠を可とし、開閉制御部１０５は、判断部１０３が開錠を可としている状態においてのみ、扉１０４を開可能状態とする。【選択図】  図１
2017155504.tif 000002
【特許請求の範囲】
【請求項１】
部屋内の環境を測定する部屋環境測定部と、
測定された部屋内の環境の測定値が、設定されている制御目標値となっていることにより、前記部屋に設けられている扉の開錠を可とする判断部と、
利用者の操作による前記扉の開要求を受け付けて前記扉を開可能状態とする開閉制御部と
を備え、
前記開閉制御部は、前記判断部が開錠を可としている状態においてのみ、前記利用者の操作による前記扉の開要求受け付により前記扉を開可能状態とする
ことを特徴とする扉制御装置。
【請求項２】
請求項１記載の扉制御装置において、
前記部屋環境測定部は、前記部屋内の温度，湿度，圧力の少なくとも１つを測定して前記測定値とする
ことを特徴とする扉制御装置。
【請求項３】
請求項１記載の扉制御装置において、
前記部屋環境測定部は、前記部屋内のクリーン度を測定して前記測定値とする
ことを特徴とする扉制御装置。
【請求項４】
部屋内の環境を測定する部屋環境測定ステップと、
測定された部屋内の環境の測定値が、設定されている制御目標値となっていることにより、前記部屋に設けられている扉の開錠を可とする判断ステップと、
利用者の操作による前記扉の開要求を受け付けて前記扉を開可能状態とする開閉制御ステップと
を備え、
前記開閉制御ステップでは、前記判断ステップで開錠が可とされている状態においてのみ、前記利用者の操作による前記扉の開要求受け付により前記扉を開可能状態とする
ことを特徴とする扉制御方法。
【請求項５】
請求項４記載の扉制御方法において、
前記部屋環境測定ステップでは、前記部屋内の温度，湿度，圧力の少なくとも１つを測定して前記測定値とする
ことを特徴とする扉制御方法。
【請求項６】
請求項４記載の扉制御方法において、
前記部屋環境測定ステップでは、前記部屋内のクリーン度を測定して前記測定値とする
ことを特徴とする扉制御方法。
【発明の詳細な説明】
【技術分野】
【０００１】
本発明は、部屋の出入り口に設けられた扉の開閉制御を行う扉制御装置および制御方法に関するものである。
【背景技術】
【０００２】
多くのテナントが収用されているビルなどでは、扉の開閉制御が重要となる。例えば、利用者の認証が行われると自動扉が開状態となる入退室制御装置がある。この装置では、利用者が所有している記録媒体からの認証情報の読み取りに応じ、扉に設けられた電気錠の開錠・施錠を制御している。
【０００３】
ところで、部屋内は空調により、例えば、温度などが安定するように制御されている。この空調に対し、扉の開放による部屋内への外気の侵入は、様々な影響を及ぼす。例えば、部屋内の空調されている温度より外気の方が高温の場合、外気が侵入すると部屋内の温度が上昇し、空調のために余分なエネルギーを費やす原因となる。このような室内空調のエネルギーロスを減少させる自動扉装置が知られている（特許文献１参照）。
【０００４】
この自動扉装置は、人検知により最初扉を開くと扉は半開所定位置まで開いて一旦停止し、この際２次開放負荷が加えられると更に扉は全開位置まで開き、２次開放負荷がない時には半開所定位置からそのまま閉じていくように制御している。この装置によれば、実際に利用者の入退室が発生しない場合には自動扉を全開としないことで、外気の侵入を抑制し、室内空調のエネルギーロスを抑制している。
【先行技術文献】
【特許文献】
【０００５】
【特許文献１】特開２００８−０６９６１６号公報
【発明の概要】
【発明が解決しようとする課題】
【０００６】
ところで、近年では、更なるエネルギーロスの低減が要求されるようになっており、上述した従来の技術ではこの要求に対応し切れていないという問題があった。
【０００７】
本発明は、以上のような問題点を解消するためになされたものであり、扉の開閉による空調エネルギーロスがより抑制できるようにすることを目的とする。
【課題を解決するための手段】
【０００８】
本発明に係る扉制御装置は、部屋内の環境を測定する部屋環境測定部と、測定された部屋内の環境の測定値が、設定されている制御目標値となっていることにより、部屋に設けられている扉の開錠を可とする判断部と、利用者の操作による扉の開要求を受け付けて扉を開可能状態とする開閉制御部とを備え、開閉制御部は、判断部が開錠を可としている状態においてのみ、利用者の操作による扉の開要求受け付により扉を開可能状態とする。
【０００９】
上記扉制御装置において、部屋環境測定部は、部屋内の温度，湿度，圧力の少なくとも１つを測定して測定値とすればよい。また、部屋環境測定部は、部屋内のクリーン度を測定して測定値としてもよい。
【００１０】
また、本発明に係る扉制御方法は、部屋内の環境を測定する部屋環境測定ステップと、測定された部屋内の環境の測定値が、設定されている制御目標値となっていることにより、部屋に設けられている扉の開錠を可とする判断ステップと、利用者の操作による扉の開要求を受け付けて扉を開可能状態とする開閉制御ステップとを備え、開閉制御ステップでは、判断ステップで開錠が可とされている状態においてのみ、利用者の操作による扉の開要求受け付により扉を開可能状態とする。
【００１１】
上記扉制御方法において、部屋環境測定ステップでは、部屋内の温度，湿度，圧力の少なくとも１つを測定して測定値とすればよい。また、部屋環境測定ステップでは、部屋内のクリーン度を測定して測定値としてもよい。
【発明の効果】
【００１２】
以上説明したことにより、本発明によれば、扉の開閉による空調エネルギーロスがより抑制できるようにする。
【図面の簡単な説明】
【００１３】
【図１】図１は、本発明の実施の形態における扉制御装置の構成を示す構成図である。
【図２】図２は、本発明の実施の形態における扉制御方法について説明するフローチャートである。
【図３】図３は、本発明の実施の形態における扉制御の適用対象の構成を示す構成図である。
【発明を実施するための形態】
【００１４】
以下、本発明の実施の形態について図を参照して説明する。図１は、本発明の実施の形態における扉制御装置の構成を示す構成図である。この扉制御装置は、部屋環境測定部１０１、記憶部１０２、判断部１０３、扉１０４、開閉制御部１０５、検出部１０６を備える。
【００１５】
部屋環境測定部１０１は、部屋内の環境を測定する。判断部１０３は、測定された部屋内の環境の測定値が、記憶部１０２に設定されている制御目標値となっていることにより、部屋に設けられている扉１０４の開錠を可とする。
【００１６】
開閉制御部１０５は、利用者の操作による扉１０４の開要求を受け付けて扉１０４を開可能状態とする。開閉制御部１０５は、判断部１０３が開錠を可としている状態においてのみ、利用者の操作による扉１０４の開要求受け付により扉１０４を開可能（入退室許可）状態とする。例えば、扉１０４は、例えば自動扉である。開閉制御部１０５は、基本動作として、公知の技術により、扉１０４の開閉を制御する。例えば、自動扉制御装置は、自動扉を通行する人を検出する検出部１０６を備える。開閉制御部１０５は、判断部１０３が開錠を可としている状態において、検出部１０６による自動扉を通行する人の検出により自動扉を開状態とする。この場合、自動扉を通行する人の検出が、利用者の操作による扉１０４の開要求となる。
【００１７】
ここで、部屋環境測定部１０１は、部屋内の温度，湿度，圧力の少なくとも１つを測定して測定値とすればよい。例えば、判断部１０３は、記憶部１０２に記憶されている温度設定値を制御目標値とし、温度設定値と測定されている温度測定値とが一致している場合、扉１０４の開錠を可とする。また、判断部１０３は、記憶部１０２に記憶されている温度設定値に対し、この温度設定値に対して所定の温度幅を不感帯として設け、不感帯を制御目標値としてもよい。測定されている温度測定値が、不感帯内である場合、扉１０４の開錠を可とすればよい。
【００１８】
また、部屋環境測定部１０１は、部屋内のクリーン度を測定して測定値としてもよい。例えば、光散乱式粒子計測器などのパーティクルカウンターを用いた粒子数測定結果を部屋内の環境の測定値として用いればよい。よく知られているように、ＬＳＩ（Large Scale Integration）などの半導体装置は、クリーンルーム内で製造されている。このようなクリーンルームでは、例えば、雰囲気の空気１ｍ3中の０．１μｍの大きさの異物数が、１００個以下などの清浄度（クリーン度）が要求される。このクリーン度は、クリーンルームとクリーンルーム外との間の扉の開閉により低下する。クリーン度が低下するとクリーン度を高くするためにクリーンルームの空調が動作することになり、クリーン度の低下は空調エネルギーロスを招くが、実施の形態における扉制御装置により抑制できるようになる。
【００１９】
次に、本発明の実施の形態における扉制御装置の動作例（扉制御方法）について、図２のフローチャートを用いて説明する。
【００２０】
まず、ステップＳ２０１で、部屋環境測定部１０１が、部屋内の環境を測定する。次に、ステップＳ２０２で、判断部１０３は、測定された部屋内の環境の測定値と、記憶部１０２に設定されている制御目標値とを比較し、一致している場合、または、所定の値幅となっている制御目標値の範囲内に測定値が入っている場合、開錠可とする。一方、これ以外の場合は、開錠不可とする。
【００２１】
次に、ステップＳ２０３で、開閉制御部１０５が、検出部１０６による自動扉を通行する人の検出がなされていることを確認する。検出部１０６による自動扉を通行する人の検出がなされている場合（ステップＳ２０３のｙ）、開閉制御部１０５は、判断部１０３が開可能としているかどうかを確認する。判断部１０３が開可能としている場合（ステップ２０４のｙ）、開閉制御部１０５は、扉１０４を開ける制御を実施する。
【００２２】
なお、検出部１０６による自動扉を通行する人の検出がなされていない場合（ステップＳ２０３のｎ）、ステップＳ２０１に戻る。また、検出部１０６による自動扉を通行する人の検出がなされている場合であっても、判断部１０３が開可能としていない場合（ステップＳ２０４のｎ）、ステップＳ２０１に戻る。
【００２３】
上述したステップＳ２０１〜ステップＳ２０４を、制御終了指示が出されるまで継続する（ステップ２０５）。
【００２４】
ところで、１つの部屋に対して複数の扉がある場合、上述した制御を全ての扉に足して実施するのではなく、一部の扉に対して制御を実施してもよい。例えば、図３に示すように、部屋３０１に扉３０２，扉３０３，扉３０４が設けられている場合を例に説明する。この場合、判断部１０３により開可能とされていない状態では、開閉制御部１０５が、扉３０３，扉３０４は、利用者の操作による扉１０４の開要求を受け付けても、開制御をしないが、扉３０２については、利用者の操作による扉１０４の開要求を受け付けると、開制御をする。
【００２５】
複数の扉がある場合、全ての扉に対して同一の制御を実施してもよいが、上述したように、一部の扉に対して本発明による制御を実施しても、扉の開閉による空調エネルギーロスがより抑制できるようになる。
【００２６】
以上に説明したように、本発明によれば、測定された部屋内の環境の測定値が、設定されている制御目標値となっていることにより、部屋に設けられている扉の開錠を可とするようにしたので、扉の開閉による空調エネルギーロスがより抑制できるようになる。
【００２７】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００２８】
１０１…部屋環境測定部、１０２…記憶部、１０３…判断部、１０４…扉、１０５…開閉制御部、１０６…検出部。
【図１】
2017155504.tif 000003
【図２】
2017155504.tif 000004
【図３】
2017155504.tif 000005